(57)【要約】【課題】  二輪走行玩具を静止状態で立てることを可能として装飾品としての陳列可能とし、走行させて使用するに際しては、走行玩具を支えてフライホイールの高速回転を容易に可能とする。【解決手段】  回転自在な前輪115と、フライホイール137を備えると共にピニオンギヤ139を有して回転自在とされた後輪135と、前輪115を支持する前輪フォーク部材112と後輪135を支持する後輪フォーク部材とを接続するフレーム部材及びフレーム部材に固定されるハンドル部材117とシート部材145を有し、シート部材145の上に着座する人形210を有する二輪走行玩具100であって、後輪支持軸の軸受け突起165を有すると共に、この軸受け突起165を挿入可能とする凹陥部261を一辺に有する２枚の側板であって、連結板255により２枚の側板の間に間隙を形成したスタンド250を備えた二輪走行玩具100とする。【選択図】    図１
0003112535.tif 000002
【実用新案登録請求の範囲】
【請求項１】
回転自在に前輪フォーク部材の下端に支持される車輪としての前輪と、前輪フォーク部材の上端に設けられるハンドル部材と、フライホイールを備えると共にピニオンギヤを車輪と同軸に有して後輪フォーク部材の後端に回転自在に支持された後輪と、前輪フォーク部材と後輪フォーク部材を接続するフレーム部材及びフレーム部材に固定されるシート部材を有し、シート部材の上に着座してハンドルを握る人形を有する二輪走行玩具であって、後輪フォーク部材の後端部において、後輪支持軸の軸受け突起を後輪フォーク部材の両側に突出させて有すると共に、この軸受け突起を挿入可能とする凹陥部を一辺に有する２枚の側板であって、２枚の側板の間に後輪及び後輪フォーク部材を挿入する間隙を連結板により形成したスタンドを備えたことを特徴とする二輪走行玩具
【請求項２】
右側板と左側板とを平行に連結板で接続し、右側板及び左側板の対応した位置に各々側板の一辺に開口する凹陥部を有すると共に、右側板及び左側板を平行として垂直に立て、凹陥部の開口位置を上方又は水平方向に向けたとき、凹陥部の高さが二輪走行玩具の後輪半径よりも僅かに高い位置とされたことを特徴とする二輪走行玩具用のスタンド。
【請求項３】
右側板及び左側板の少なくとも一方又は両方から外側に平板状の膨出部を有することを特徴とする請求項２に記載の二輪走行玩具用のスタンド。
【考案の詳細な説明】
【技術分野】
【０００１】
本考案は、フライホイールを用い、補助輪を有することなく前後二輪での走行を可能とする走行玩具の発射装置を兼ねたスタンドに関するものです。
【背景技術】
【０００２】
従来、フライホイールを高速回転させたときの軸安定性を利用し、自転車の形やオートバイの形をして前輪及び後輪での走行をさせることのできる玩具が種々提供されている。
このような玩具では、フライホイールの回転により玩具を立てた状態に維持するのみでなく、フライホイールの回転によって車輪、特に後輪を回転させて玩具の走行を行わせるようにされている。
【０００３】
又、後輪をフライホイールとして回転させることにより二輪走行を行わせるのみでなく、マフラー形状の突出部を後輪の両側で後方に突出させ、この突出部の後端と後輪とを接地させて一輪走行（ウイリー走行）を可能とし、走行状態に変化を持たせる玩具も提案されている（例えば特許文献１）。
【０００４】
尚、このような二輪走行玩具は、後輪を接地させて玩具を手で移動させることによりフライホイールに回転を与えるようにする場合のみでなく、後輪にピニオンギヤを設けておき、ラックベルトの歯をピニオンギヤに噛合させ、ラックベルトを引っ張ることにより後輪を回転させてフライホイールを高速回転させ、二輪走行玩具を走らせるようにするものがある（例えば特許文献１）。
更には、フライホイールの高速回転をより容易に行わせるために、二輪走行玩具の後輪に設けたピニオンギヤを回転させるための発射装置も提案されている（例えば特許文献２）。
【特許文献１】実開昭５８−８６１９２号公報
【特許文献２】実開平３−１８８９４号公報
【考案の開示】
【考案が解決しようとする課題】
【０００５】
前述のように、フライホイールを用いた二輪走行玩具は、比較的単純な構造の玩具であり、手軽に使用して遊ぶことができるも、使用しない場合の保管が考慮されていなかった。
また、使用に際しては、フライホイールを回転させるためにラックベルトを使用する場合があるも、手軽にフライホイールを高速回転させて勢い良く走行させることが困難な場合があった。
【０００６】
本考案は、上述の問題点に鑑み、使用しないときには二輪走行玩具を装飾品として陳列可能とし、使用に際しても、走行玩具を支えてフライホイールの高速回転を容易に可能とするスタンドを提供するものです。
【課題を解決するための手段】
【０００７】
本考案は、回転自在に前輪フォーク部材（112）の下端に支持される車輪としての前輪（115）と、前輪フォーク部材（112）の上端に設けられるハンドル部材（117）と、フライホイール（137）を備えると共にピニオンギヤ（139）を車輪と同軸に有して後輪フォーク部材の後端に回転自在に支持された後輪（135）と、前輪フォーク部材（112）と後輪フォーク部材を接続するフレーム部材及びフレーム部材に固定されるシート部材（145）を有し、シート部材（145）の上に着座してハンドルを握る人形（210）を有する二輪走行玩具（100）であって、後輪フォーク部材の後端部において、後輪支持軸の軸受け突起（165）を後輪フォーク部材の両側に突出させて有すると共に、この軸受け突起（165）を挿入可能とする凹陥部（261）を一辺に有する２枚の側板であって、２枚の側板の間に後輪（135）及び後輪フォーク部材を挿入する間隙を連結板（255）により形成したスタンド（250）を備えた二輪走行玩具（100）とするものです。
【０００８】
また、本考案は、右側板（251）と左側板（253）とを平行に連結板（255）で接続し、右側板（251）及び左側板（253）の対応した位置に各々側板の一辺に開口する凹陥部（261）を有すると共に、右側板（251）及び左側板（253）を平行として垂直に立て、凹陥部（261）の開口位置を上方又は水平方向に向けたとき、凹陥部（261）の高さが二輪走行玩具（100）の後輪（135）の半径よりも僅かに高い位置とされた二輪走行玩具用のスタンド（250）とするものです。
【０００９】
そして、このスタンド（250）は、右側板（251）及び左側板（253）の少なくとも一方又は両方から外側に平板状の膨出部を設けることが好ましい。
【考案の効果】
【００１０】
本考案に係る二輪走行玩具は、後輪支持軸の軸受け突起を挿入可能とする凹陥部を一辺に有する２枚の側板を備えたスタンドを有しているため、スタンドにより走行玩具を静止状態で立てておくことができ、二輪走行玩具を陳列することを可能とし、また、走行させるに際してもスタンドにより二輪走行玩具を支持し、後輪を高速回転させることを容易に可能とするものです。
【００１１】
また、このスタンドは、二輪走行玩具を静止状態で立てて陳列することを可能とし、後輪を回転させて走行させるときは容易に後輪を高速回転させるように二輪走行玩具を支持することも可能とするものです。
特に、このスタンドの側板から外側への膨出部を設けたスタンドは、二輪走行玩具の後輪を回転させるように二輪走行玩具を支持する際、スタンドを床などに固定支持することを容易とすることができるものです。
【考案を実施するための最良の形態】
【００１２】
本考案の実施のための最良の形態は、回転自在に前輪フォーク部材112の下端に支持される車輪としての前輪115と、前輪フォーク部材112の上端に設けられるハンドル部材117と、フライホイール137を備えると共にピニオンギヤ139を車輪と同軸に有して後輪フォーク部材の後端に回転自在に支持された後輪135と、前輪フォーク部材112と後輪フォーク部材を接続するフレーム部材及びフレーム部材に固定されるシート部材145を有し、シート部材145の上に着座してハンドルを握る人形210を有する二輪走行玩具100であって、後輪フォーク部材の後端部において、後輪支持軸の軸受け突起165を後輪フォーク部材の両側に突出させて有するものです。
【００１３】
更に、この軸受け突起165を挿入可能とする凹陥部261を一辺に有する２枚の側板であって、２枚の側板の間に後輪135及び後輪フォーク部材を挿入する間隙を有して右側板251と左側板253とを平行に連結板255で接続し、右側板251及び左側板253の対応した位置に各々側板の一辺に開口する凹陥部261を有すると共に、右側板251及び左側板253を平行として垂直に立て、凹陥部261の開口位置を上方又は水平方向に向けたとき、凹陥部261の高さが二輪走行玩具100の後輪135の半径よりも僅かに高い位置とされるスタンド250であって、右側板251及び左側板253の少なくとも一方又は両方から外側に平板状の膨出部を有するスタンド250を備えた二輪走行玩具100をするものです。
【実施例】
【００１４】
本考案に係る二輪走行玩具の実施例は、図１に示すように、マウンテンバイクを模した合成樹脂製の自転車玩具110に合成樹脂製のライダーを模した人形210を乗車させ、このマウンテンバイクを立てるスタンド250を備えた二輪走行玩具100としているものです。
【００１５】
この自転車玩具110は、図１乃至図３に示すように、前輪フォーク部材112の下端に車輪形状とした前輪115を有し、自転車のフロントフォークを模した前輪フォーク部材112の上端には左右へ略水平に延設してハンドルを模したハンドル部材117を有し、ハンドル部材117の中間から棒状のボディトップ121を後方に延設し、ハンドル部材117の中間から棒状のダウンチューブ123を後方下方に延設し、ボディトップ121の後端からダウンチューブ123の後端へ棒状の支持チューブ125を接続してボディトップ121及びダウンチューブ123と支持チューブ125による自転車のフレームを模して形成したフレーム部材を有している。
【００１６】
更に、ダウンチューブ123の後端から略水平に後方に延設するリアフォーク131、ダウンチューブ123の後端から斜め上方後方に延設するリンクバー133、リンクバー133の後端からリアフォーク131の後端に延設されるアッパーフォーク132を形成してリアフォーク131及びアッパーフォーク132とリンクバー133による自転車の後輪用フォークを模した後輪フォーク部材を有し、この後輪フォーク部材のリアフォーク131及びアッパーフォーク132の間に車輪形状とした後輪135を設けているものです。
【００１７】
そして、前述の前輪115は、前輪フォーク部材112に対して回転自在として固定しているものであり、後輪135は、鉄又は鉛などの金属を円板状としたフライホイール137の周囲に合成樹脂を設けて車輪とし、側方にピニオンギヤ139を車輪と同軸且つ一体として備え、この後輪135を後輪フォーク部材におけるリアフォーク131の後端に対して回転自在に固定しているものです。
【００１８】
更に、この自転車玩具110には、ボディトップ121の後方にシートポスト143を形成し、シートポスト143の上方にシート部材145を形成しており、また、フレーム部材と後輪フォーク部材との間に連結バー141を形成し、フレーム部材の下端には、一方の側にペダルクランク153を模した形成を、他方の側にペダルギヤ151とペダルクランク153を模した形成を行い、両ペダルクランク153の先端近くに脚部係止穴155を設け、更に又、後輪カバー157をリアフォーク部材に設けて自転車の形状を形成しているものです。
【００１９】
そして、後輪フォーク部材におけるリアフォーク131の後端近傍には、図２に示すように、後輪135の支持軸位置に軸受け突起165を有すると共に、リアフォーク131の後端から下方に延設するベルトガイド161を設けており、このベルトガイド161は、図４に示すように、後輪135と一体に形成したピニオンギヤ139の下方に間隙を形成してベルトガイド161の下端から車輪側に突出する内方突起163を設けているものです。
【００２０】
尚、図２に示したようにシート部材145の上面には棒状のボディ係止突起147を突出させている。
【００２１】
そして、この自転車玩具110に載置するライダーを模した人形210は、頭部211や胴部213、腕部215及び脚部217を備えた人間の形状をした人形210とし、足部218の底面にペダル221を設けた形状とし、左脚を曲げ、右脚を伸ばした状態としてペダル221の内側に脚部係止突起223を形成し、この脚部係止突起223をペダルクランク153の先端に設けた脚部係止穴155に陥入させてライダーを模した人形210の脚部217を自転車玩具110に固定するようにしている。
【００２２】
また、胴部213の下端にはシート部材145に設けたボディ係止突起147を挿入するボディ係止穴225を設け、このボディ係止穴225にボディ係止突起147を挿入することにより胴部213をシート部材145の上に乗せた状態として人形210を自転車玩具110に固定し得るようにしている。
【００２３】
更に、この人形210の腕部215は、ハンドルを握る形として手216の内側にハンドル固定穴を形成し、ハンドル部材117の両端を人形210の腕部215の先端である手216の位置に形成したハンドル固定穴に挿入して人形210がハンドルを握る形態とすることができるようにしている。
【００２４】
そして、この二輪走行玩具100を静止状態で立てておくスタンド250は、図５に示すように、右側板251と左側板253との２枚の側板を平行として後壁の一部を形成する平板状の連結板255により連結固定しているものであり、後壁は連結板255から左右に延設され、２枚の側板の外方に延びる右後壁257及び左後壁259を有するものです。
【００２５】
また、右側板251及び左側板253は、正方形に近い直角台形とし、この台形の長辺に後壁を形成したものであり、台形の短辺を前方としてこの短辺と後壁とを垂直として水平な平面に両側板を垂直に載置可能とし、右側板251及び左側板253の両側板における斜辺の短辺近くにＵ字状の凹陥部261を形成するものです。
【００２６】
この凹陥部261は、二輪走行玩具100の軸受け突起165の外径よりも僅かに広い開口部を台形とした右側板251及び左側板253の斜辺に設けるように形成しているものであり、右側板251と左側板253との間隔を後輪フォーク部材の外幅よりも僅かに広くしているものです。
【００２７】
なお、この実施例では、左後壁259と垂直な平板状の左支持板266を左側板253の外側に延設し、平板状の左後壁259と左支持板266とによりＬ字状の膨出部を形成しており、右側板251の外方にも同様に平板状の右後壁257と右支持板265とによるＬ字状の膨出部を形成している。
【００２８】
また、凹陥部261と後壁との間隔を二輪走行玩具100における後輪135の半径よりも僅かに大きくすると共に、凹陥部261のＵ字状の底部と右支持板265及び左支持板266との距離も二輪走行玩具100における後輪135の半径よりも僅かに大きくしている。
【００２９】
従って、図５のＡに示すように、連結板255や右後壁257及び左後壁259により形成された後壁を垂直としてスタンド250を床などの平面上に載置し、右側板251及び左側板253の間に二輪走行玩具100の後輪135を位置させると、図１に示したように、凹陥部261に軸受け突起165を挿入するようにして二輪走行玩具100を床などの平面に立てることができる。
【００３０】
また、図５のＢに示すように、左右の支持板を垂直とするように床などの平面にスタンド250を載置し、Ｕ字状の凹陥部261を前方に開口させてこの凹陥部261に軸受け突起165を挿入すると、図６に示すように連結板255から後輪135を僅かに浮かせた状態で二輪走行玩具100を支持することができるものです。
【００３１】
そして、この二輪走行玩具100は、ラックベルト180の歯部をピニオンギヤ139に噛合させるようにラックベルト180をベルトガイド161の内側に挿入し、ラックベルト180をすばやく後方に引き抜くことにより後輪135を回転させることができ、後輪135を床などに接地させることにより走行させることができるものです。
【００３２】
従って、図５のＢに示したように、凹陥部261の開口を前方としてスタンド250を平面に載置し、ラックベルト180をベルトガイド161に挿入した二輪走行玩具100の軸受け突起165を凹陥部261に挿入すると、図７に示すように、二輪走行玩具100の前輪115を床面に着け、後輪135を床に接触させたスタンド250の後壁から僅かに浮かせた状態で二輪走行玩具100を床などの平面に立てることができる。
【００３３】
この状態で膨出部とした右後壁257又は左後壁259を床などの平面に手で強く押え付けてスタンド250を固定し、ラックベルト180の指掛部183に指を掛けてラックベルト180を後方へ素早く引き抜けば、後輪135を高速回転させることが容易にできるものです。
【００３４】
そして、この凹陥部261は前方に開口しているため、スタンド250などの僅かな振動により軸受け突起165が凹陥部261から外れ、後輪135をスタンド250の後壁とされる連結板255に着地させて前方に走り出させるように発射することができる。
【００３５】
このように、本実施例に係るスタンド付き二輪走行玩具100は、スタンド250により静止状態でも二輪走行玩具100を立てておくことができ、二輪走行玩具100を装飾品として並べることが可能であり、また、二輪走行玩具100を走行させるに際しては、二輪走行玩具100の後輪135を僅かに空中へ浮かせて支持することができ、スタンド250の膨出部を摘むことにより又は床などに押え付けることにより、二輪走行玩具100を支持するスタンド250を容易に強く固定してラックベルト180を引き抜き可能な状態として二輪走行玩具100を発射状態で支持することができるものです。
【００３６】
従って、ラックベルト180を強く且つ素早く引き抜くことが容易に可能となり、後輪135を高速回転させて力強い走行を容易に楽しむことができるものです。
尚、スタンド250は、連結板255と右後壁257及び左後壁259とによる後壁を形成する場合に限ることなく、図８に示すように、右側板251及び左側板253の下方の一部を連結板255により接続し、膨出部として板状の右支持板265及び左支持板266を設ける場合、又は右支持板265及び左支持板266の一方を設ける場合や、図９に示すように、連結板255と膨出部としての右後壁257及び左後壁259とを形成して右支持板265や左支持板266を省略することもある。
【００３７】
また、上記実施例は、自転車玩具110をマウンテンバイクの形状としているも、ロードレーサータイプの自転車又はオードバイなどの二輪走行車の形状とすることもあり、更に、ライダーを模した人形210も人間の形状に限ることなく、動物やアニメーションのキャラクタを模して形成することもある。
【産業上の利用可能性】
【００３８】
本考案に係る二輪走行玩具は、静止状態で走行玩具を立てて陳列することにより装飾品として並べることができると共に、走行させるときは容易に後輪を高速回転させて勢い良く走らせることのできる二輪走行玩具及びそのスタンドとすることのできるものです。
【図面の簡単な説明】
【００３９】
【図１】本考案に係る二輪走行玩具の側面図。
【図２】本考案に係る二輪走行玩具の自転車玩具を示す側面図。
【図３】本考案に係る二輪走行玩具の逆側面図。
【図４】本考案に係る二輪走行玩具の背面図。
【図５】本考案に係る二輪走行玩具に使用するスタンドを示す図。
【図６】本考案に係る二輪走行玩具のスタンドに取り付けた状態を示す背面図。
【図７】本考案に係る二輪走行玩具の発射状態を示す図。
【図８】本考案に係る二輪走行玩具に使用するスタンドの他の例を示す図。
【図９】本考案に係る二輪走行玩具に使用するスタンドのその他の例を示す図。
【符号の説明】
【００４０】
１００  二輪走行玩具
１１０  自転車玩具                    １１２  前輪フォーク部材
１１５  前輪                          １１７  ハンドル部材
１２１  ボディトップ                  １２３  ダウンチューブ
１２５  支持チューブ
１３１  リアフォーク                  １３２  アッパーフォーク
１３３  リンクバー                    １３５  後輪
１３７  フライホイール                １３９  ピニオンギヤ
１４１  連結バー                      １４３  シートポスト
１４５  シート部材                    １４７  ボディ係止突起
１５１  ベダルギヤ                    １５３  ベダルクランク
１５５  脚部係止穴                    １５７  後輪カバー
１６１  ベルトガイド                  １６３  内方突起
１６５  軸受け突起
１８０  ラックベルト                  １８３  指掛部
２１０  人形
２１１  頭部                          ２１３  胴部
２１５  腕部                          ２１６  手
２１７  脚部                          ２１８  足部
２２１  ペダル                        ２２３  脚部係止突起
２２５  ボディ係止穴
２５０  スタンド
２５１  右側板                        ２５３  左側板
２５５  連結板                        ２５７  右後壁
２５９  左後壁                        ２６１  凹陥部
２６５  右支持板                      ２６７  左支持板
【図１】
0003112535.tif 000003
【図２】
0003112535.tif 000004
【図３】
0003112535.tif 000005
【図４】
0003112535.tif 000006
【図５】
0003112535.tif 000007
【図６】
0003112535.tif 000008
【図７】
0003112535.tif 000009
【図８】
0003112535.tif 000010
【図９】
0003112535.tif 000011